(57)【要約】【課題】非常に簡単な構造で半袖の袖先も乾燥させることができる。【解決手段】人形胴２に被せた半袖シャツ１の袖部に挿入させる半袖緊張具１０と、半袖緊張具１０を所定の姿勢に保持すると共に半袖シャツ１に挿入された半袖緊張具１０に張力を付与する半袖姿勢保持具３０とからなる。半袖緊張具１０は、半袖姿勢保持具３０が係合する係合部１２と、係合部１２より伸び半袖シャツ１の袖部の上部及び下部を弾性力によって緊張させる上側部１３ａ及び下側部１３ｂが形成され、半袖姿勢保持具３０は、支持板３１に回転自在に設けられ、半袖緊張具１０の係合部１２に係合する保持レバー３３と、保持レバー３３を人形胴２から離れる方向に引っ張る引っ張りばね３４とからなる。【選択図】      図２
2007229357.tif 000002
【特許請求の範囲】
【請求項１】
人形胴に被せた半袖シャツの袖部に挿入させる半袖緊張具と、この半袖緊張具を所定の姿勢に保持すると共に半袖シャツに挿入された半袖緊張具に張力を付与する半袖姿勢保持具とからなり、前記半袖緊張具は、前記半袖姿勢保持具が係合する係合部と、この係合部より伸び半袖シャツの袖部の上部及び下部を弾性力によって緊張させる上側部及び下側部が形成され、前記半袖姿勢保持具は、支持板に回転自在に設けられ、前記半袖緊張具の係合部に係合する保持レバーと、この保持レバーを前記人形胴から離れる方向に引っ張る引っ張りばねとからなることを特徴とするシャツ仕上げ機に用いる半袖シャツ用治具。
【請求項２】
前記半袖姿勢保持具は、シャツ仕上げ機の人形胴の両側に設けられたアイロン台を支持する支持腕に設けられていることを特徴とする請求項１記載のシャツ仕上げ機に用いる半袖シャツ用治具。
【請求項３】
前記半袖緊張具の前記上側部の半袖挿入部は、下側部の半袖挿入部より長く形成されていることを特徴とする請求項１記載のシャツ仕上げ機に用いる半袖シャツ用治具。
【発明の詳細な説明】
【技術分野】
【０００１】
本発明は、シャツ仕上げ機に用いる半袖シャツ用治具に関する。
【背景技術】
【０００２】
シャツ仕上げ機は、洗濯されたワイシャツ等のシャツを人体の上半身形状を模した人形胴に着せた状態で、熱風やプレス鏝で皺を除去できるように形成されている。かかるシャツ仕上げ機は、半袖シャツも仕上げできることが好ましい。従来、長袖シャツ仕上げ機に半袖シャツ用治具を取付けたものとして、例えば特許文献１が挙げられる。
【特許文献１】特開２００３−２４６９９号公報
【０００３】
特許文献１は、次のような構成よりなっている。シャツを着せるための人形胴と、この人形胴の前後を押圧してシャツをプレス仕上げするための前後一対のプレス鏝と、前記人形胴の両側に設けられた左右一対の支持腕とを備えている。そして、この支持腕の上部には、シャツの袖先が差し込まれてセットされるアイロン台と、長袖シャツのタック及びカフスをプレス仕上げするための熱鏝とが設けられ、シャツの袖内に熱風が供給されて緊張仕上げされる。この構成により長袖シャツを仕上げることができる。
また半袖シャツも仕上げできるように、前記支持腕の上部には、半袖シャツの袖先を挟み付けて固定するためのクランプ装置が設けられ、このクランプ装置を備えた支持腕の上部を回動させて人形胴の側部にクランプ装置を対向状に配置させるための回動装置が支持腕に設けられている。
【発明の開示】
【発明が解決しようとする課題】
【０００４】
上記従来技術は、半袖シャツの袖先を両側からクランプ装置の挟持部材で挟み付ける。このため袖先は閉じられて熱風が通らなく、袖先が乾燥しない。そこで、袖先を予めプレスしておくか、またはシャツ仕上げ機で半袖シャツをプレス仕上げした後に袖先をプレスする必要があった。またクランプ装置は、一対の挟持部材と、この挟持部材を開閉させる開閉手段とからなり、更にクランプ装置を人形胴の側部に配置させるための回動装置を必要とし、構造が複雑となった。
【０００５】
本発明の課題は、非常に簡単な構造で半袖の袖先も乾燥させることができるシャツ仕上げ機に用いる半袖シャツ用治具を提供することにある。
【課題を解決するための手段】
【０００６】
上記課題を解決するための本発明の請求項１は、人形胴に被せた半袖シャツの袖部に挿入させる半袖緊張具と、この半袖緊張具を所定の姿勢に保持すると共に半袖シャツに挿入された半袖緊張具に張力を付与する半袖姿勢保持具とからなり、前記半袖緊張具は、前記半袖姿勢保持具が係合する係合部と、この係合部より伸び半袖シャツの袖部の上部及び下部を弾性力によって緊張させる上側部及び下側部が形成され、前記半袖姿勢保持具は、支持板に回転自在に設けられ、前記半袖緊張具の係合部に係合する保持レバーと、この保持レバーを前記人形胴から離れる方向に引っ張る引っ張りばねとからなることを特徴とする。
【０００７】
上記課題を解決するための本発明の請求項２は、前記請求項１において、前記半袖姿勢保持具は、シャツ仕上げ機の人形胴の両側に設けられたアイロン台を支持する支持腕に設けられていることを特徴とする。
【０００８】
上記課題を解決するための本発明の請求項３は、前記請求項１において、前記半袖緊張具の前記上側部の半袖挿入部は、下側部の半袖挿入部より長く形成されていることを特徴とする。
【発明の効果】
【０００９】
請求項１によれば、半袖シャツの袖部は半袖緊張具で外側に緊張され、また外側に一定の姿勢を保って保持されており、袖先は開放した状態にあるので、熱風は袖先より外部に逃げる。これにより、袖先で乾燥仕上げされる。また半袖シャツ用治具は、半袖緊張具と半袖姿勢保持具の保持レバー、引っ張りばねよりなる非常に簡単な構成よりなるので、安価な装置が得られる。また請求項３によれば、上側部の半袖挿入部は、下側部の半袖挿入部より長く形成されているので、半袖を最良な状態に緊張させることができる。
【発明を実施するための最良の形態】
【００１０】
本発明のシャツ仕上げ機に用いる半袖シャツ用治具の一実施の形態を図１乃至図４により説明する。長袖シャツ又は半袖シャツ１を着せるための人形胴２の両側の左右には、長袖シャツの袖先に差し込まれてセットされるアイロン台３が配設されており、アイロン台３は支持腕４に固定されている。なお、図示しないが、支持腕４は従来と同様に、人形胴２の両側に左右一対設けられ、支持腕４の上部には、アイロン台３と長袖シャツのタック及びカフスをプレス仕上げするための熱鏝とが設けられている。また人形胴２の前後には、シャツをプレス仕上げする前後一対のプレス鏝が設けられている。
【００１１】
半袖シャツ用治具は、半袖シャツ１の袖先に差し込まれる半袖緊張具１０と、この半袖緊張具１０を所定の姿勢に保持すると共に半袖シャツ１の袖部にセットして該袖部に張力を付与する半袖姿勢保持具３０とならなっている。
【００１２】
半袖緊張具１０は、図４に示すように、スプリング線１１と、このスプリング線１１に装着された樹脂チューブ２０とからなっれいる。半袖緊張具１０は、輪状に形成された係合部１２と、この係合部１２の一端より伸びて半袖シャツ１の上側に挿入される上側部１３ａと、係合部１２の他端より伸びて半袖シャツ１の下側に挿入される下側部１３ｂとから形成されている。上側部１３ａ及び下側部１３ｂは、係合部１２の両端より外側に開く方向に伸びたつまみ部１４、１４と、このつまみ部１４、１４より上下に伸びた外側伸長部１５、１５と、この外側伸長部１５、１５より外側に開く方向に伸びた半袖挿入部１６ａ、１６ｂと、この半袖挿入部１６ａ、１６ｂより内側方向に僅かに伸びた挿入先部１７ａ、１７ｂとからなっている。ここで、上側部１３ａの半袖挿入部１６ａは、下側部１３ｂの半袖挿入部１６ｂより長く形成され、上側部１３ａの上方部１８ａと下側部１３ｂの下方部１８ｂの長さＨは、半袖シャツ１の袖部内側幅より長く形成されている。
【００１３】
半袖姿勢保持具３０は、図２及び図３に示すように、次のような構成よりなっている。支持腕４には、支持板３１が固定されており、支持板３１には、支軸３２を介して保持レバー３３の一端部が回転自在に支承されている。保持レバー３３の他端には、半袖緊張具１０の係合部１２に係合する係合部３３ａが人形胴２の反対側の面、即ちアイロン台３側に形成されている。半袖緊張具１０を人形胴２から離れた側に引っ張るために、支持板３１と保持レバー３３には引っ張りばね３４が掛けられている。また支持板３１には、保持レバー３３の回動位置、即ちセット位置を規制するためのストッパー３５と解除位置を規制するためのストッパー３６とが固定されている。
【００１４】
次に作用について説明する。保持レバー３３は、常時２点鎖線で示すように、アイロン台３の前方から離れた状態にある。即ち、長袖シャツのプレス仕上げに支障しない位置となっている。半袖シャツ１をプレス仕上げする場合には、まず、人形胴２に半袖シャツ１を着せる。そして、半袖緊張具１０のつまみ部１４、１４又は半袖挿入部１６ａ、１６ｂをつまんで押し、上方部１８ａと下方部１８ｂの長さＨを半袖の袖先きより短くして半袖挿入部１６ａ、１６ｂを半袖シャツ１の袖部に差し込む。そして、指を離すと、半袖挿入部１６ａ、１６ｂは弾性復帰して半袖シャツ１の袖部を上下に拡げて緊張させる。
【００１５】
そして、２点鎖線の状態にある保持レバー３３を回動させ、該保持レバー３３の係合部３３ａを半袖緊張具１０の係合部１２に係合させる。この場合、係合部１２の半袖挿入部１６ａ、１６ｂが引っ張りばね３４の張力で半袖シャツ１の袖部を外側に引っ張るように半袖緊張具１０の半袖シャツ１に対する位置を調整して保持レバー３３の係合部３３ａを半袖緊張具１０の係合部１２に係合させる。これにより、半袖シャツ１の袖部は半袖緊張具１０で外側に緊張され、また外側に一定の姿勢を保って保持される。
【００１６】
その後、人形胴２を通して半袖シャツ１の袖内に熱風が供給される。これにより、半袖シャツ１の袖が膨張して乾燥仕上げされる。この場合、袖先は開放した状態にあるので、熱風は袖先より外部に逃げる。これにより、袖先まで乾燥仕上げされる。また図示しないプレス鏝が人形胴２を押圧し、半袖シャツ１の前側と後側がプレス仕上げされる。半袖シャツ１のプレス仕上げ後は、保持レバー３３を２点鎖線で示すように回動させて保持レバー３３の係合部３３ａを半袖緊張具１０より離す。これにより、保持レバー３３は長袖シャツの場合に邪魔にならない位置となる。そして、半袖緊張具１０のつまみ部１４、１４を指でおして半袖挿入部１６ａ、１６ｂを縮めて半袖緊張具１０を半袖シャツ１より外す。これにより、一連の工程が終了する。
【００１７】
このように、半袖シャツ１の袖部は半袖緊張具１０で外側に緊張され、また外側に一定の姿勢を保って保持されており、袖先は開放した状態にあるので、熱風は袖先より外部に逃げる。これにより、袖先で乾燥仕上げされる。また半袖シャツ用治具５は、半袖緊張具１０と半袖姿勢保持具３０の保持レバー３３、引っ張りばね３４よりなる非常に簡単な構成よりなるので、安価な装置が得られる。また上側部１３ａの半袖挿入部１６ａは、下側部１３ｂの半袖挿入部１６ｂより長く形成されているので、半袖を最良な状態に緊張させることができる。
【００１８】
なお、上記実施の形態においては、半袖姿勢保持具３０をアイロン台３が設けられた支持腕４に設けたが、特に設ける場所は限定されなく、例えばシャツ仕上げ機の固定位置に半袖姿勢保持具３０を取付ける取付け部を設けてもよい。しかし、アイロン台３を設けた支持腕４に設けた方が、余分な部材を必要としなく好ましい。
【図面の簡単な説明】
【００１９】
【図１】本発明の半袖シャツ用治具を設けたシャツ仕上げ機の一実施の形態の要部を示し、（ａ）は正面図、（ｂ）は平面図である。
【図２】図１の要部拡大正面図である。
【図３】図２の平面図である。
【図４】半袖緊張具の拡大正面面である。
【符号の説明】
【００２０】
１    半袖シャツ
２    人形胴
３    アイロン台
４    支持腕
１０    半袖緊張具
１１    スプリング線
１２    係合部
１３ａ    上側部
１３ｂ    下側部
１４    つまみ部
１５    外側伸長部
１６ａ、１６ｂ    半袖挿入部
２０    樹脂チューブ
３０    半袖姿勢保持具
３２    支軸
３３    保持レバー
３４    引っ張りばね
【図１】
2007229357.tif 000003
【図２】
2007229357.tif 000004
【図３】
2007229357.tif 000005
【図４】
2007229357.tif 000006